(57)【特許請求の範囲】
【請求項１】
情報提供者サーバと通信する通信手段を有し、前記通信手段を用いて受信した機器の動作内容に従い特定の動作を行う動作時間を算出して特定の動作を行う時刻またはその時刻の所定時間前後に報知を行う携帯情報端末の機器モニタシステム。
【請求項２】
報知時刻の計時は、前記携帯情報端末が情報提供者サーバから受信したプログラムで報知時刻までの時間を算出し、この時間を前記携帯情報端末自身が有する計時機能に引き渡して報知を行う請求項１記載の機器モニタシステム。
【請求項３】
報知を行う特定動作の時刻の前後の報知は、携帯情報端末または機器で報知時刻ずらし設定手段により設定可能な請求項１または２記載の機器モニタシステム。
【発明の詳細な説明】
【０００１】
【発明の属する技術分野】
本発明は、入手したプログラムまたはデータにより、機器の動作の進行状況を遠隔でモニタできる機器モニタシステムに関するものである。
【０００２】
【従来の技術】
従来、例えば洗濯機の操作は洗濯機の操作盤のキーを押すことによりなされ、また、洗濯のしかたの選択は操作盤のキーの選択によりなされ、洗濯機の状態の確認は有識者の目視や洗濯機に取り付けた送信部から発信される信号を専用のツールを用いてその受信部で受信して報知を行うのが一般的である。
【０００３】
【発明が解決しようとする課題】
しかしながら、前記従来の機器の状態確認では、わざわざ使用者が他の部屋にいても機器のところまで確認に行く必要があったり、専用のツールが必要であった。また、専用のツールには使用者と、機器に、その２者間の距離にかかわらず通信可能な通信手段が必要であるという問題点を有していた。
【０００４】
本発明は、前記従来の課題を解決するもので、機器のところまで行かなくても、また専用のツールがなくても機器の特定動作を行う時刻を報知する機器モニタシステムを提供することを目的とする。
【０００５】
【課題を解決するための手段】
本発明は、情報提供者サーバと通信する通信手段を有し、前記通信手段を用いて受信した機器の動作内容に従い特定の動作を行う動作時間を算出して特定の動作を行う時刻またはその時刻の所定時間前後に報知を行う携帯情報端末として、機器のところまで行かなくても、また専用のツールがなくても機器の特定動作を行う時刻を報知可能な機器モニタシステムとしている。
【０００６】
【発明の実施の形態】
請求項１に記載した発明は、情報提供者サーバと通信する通信手段を有し、前記通信手段を用いて受信した機器の動作内容に従い特定の動作を行う動作時間を算出して特定の動作を行う時刻またはその時刻の所定時間前後に報知を行う携帯情報端末として、機器のところまで行かなくても、また専用のツールがなくても機器の開始時刻に携帯情報端末に起動をかければ機器の特定動作を行う時刻を報知可能な機器モニタシステムとしている。
【０００７】
請求項２に記載した発明は、特に、報知時刻の計時は、前記携帯情報端末が情報提供者サーバから受信したプログラムで報知時刻までの時間を算出し、この時間を前記携帯情報端末自身が有する計時機能に引き渡して報知を行う構成として、携帯情報端末の本来の機能をできるだけ損なわずに機器の特定動作を行う時刻を報知可能な機器モニタシステムとしている。
【０００８】
請求項３に記載した発明は、特に、報知を行う特定動作の時刻の前後の報知は、携帯情報端末または機器で報知時刻ずらし設定手段により設定可能な構成として、動作によってやや早めにあるいは少したってから報知することができる機器モニタシステムとしている。
【０００９】
【実施例】
（実施例１）
本発明の機器モニタシステムの実施例を図面に基づいて説明する。図１は本実施例の構成を示すブロック図、図２は本実施例の情報提供者サーバから携帯情報端末に受信される動作内容の例である。図１において、１は情報提供者サーバ、２は携帯情報端末、３は洗濯機であり、情報提供者サーバ１と携帯情報端末２は、各々の通信手段４、５によりインターネット等の所定の通信網６に接続可能で、電話回線等を介して相互にデータ送受信が可能な構成となっている。
【００１０】
情報提供者サーバ１は、通信手段４と、洗濯機用動作内容記憶手段７から構成され、携帯情報端末２は、通信手段５と、これらを制御するための制御手段８と、操作部９、報知手段１０、記憶手段１１、計時手段１２から構成されている。また、洗濯機３は、制御手段１３と、操作部１４から構成されている。
【００１１】
情報提供者サーバ１の洗濯機用動作内容記憶手段７には、情報提供者サーバ１の管理者によって図２に示した洗濯機用の動作内容が記憶されている。図２では「おまかせ洗いコース（標準水量）」を示している。
【００１２】
次に、本発明の機器モニタシステムの動作について説明する。まず、利用者が、携帯情報端末２の操作部９で情報提供者サーバ１に洗濯機３の該当機種の該当コースへのアクセスするための操作を行うと、携帯情報端末２が通信網６を介して、情報提供者サーバ１に接続され、情報提供者サーバ１の洗濯機用動作内容記憶手段７に記憶されている動作内容が、通信手段４、通信網６、通信手段５を介して携帯情報端末２の記憶手段１１に転送される。本実施例では、「おまかせ洗いコース（標準水量）」を転送する。次に、利用者が、洗濯機３に洗濯物を投入して操作部１３で「おまかせ洗いコース（標準水量）」を選択して開始した時、同時に携帯情報端末２の操作部９で転送された動作内容の特定動作（本実施例では、「終了」を特定動作とする）の時刻を報知するようにして携帯情報端末２に起動をかける。携帯情報端末２の制御手段８は、計時手段１２の計時を開始し、図２で示したように全ての動作の合計時間即ち５３分後に報知手段１０（本実施例ではメロディ音と表示）で報知を行う。
【００１３】
なお、本実施例では「おまかせ洗いコース（標準水量）」としたが、他のコースのものでもかまわないし、「おまかせ洗いコース」の各水量に応じた動作内容を情報提供者サーバ１から携帯情報端末２に転送するようにして各水量に応じたものを転送してもかまわない。
【００１４】
以上のように本実施例によれば、洗濯機３の動作内容を情報提供者サーバ１から携帯情報端末２に転送するようにしているので、携帯情報端末２は洗濯機３の動作を把握しているため、洗濯機３からのリアルタイムの情報を受信する必要なく、機器のところまで行かなくても、また専用のツールがなくても機器の開始時刻に携帯情報端末に起動をかければ機器の特定動作を行う時刻を報知可能な機器モニタシステムを実現するものである。
【００１５】
（実施例２）
本発明の機器モニタシステムの実施例を図面に基づいて説明する。本実施例の構成を示すブロック図は、図３である。図１の構成に加えて、携帯情報端末２は第２の通信手段である赤外送信部１５を備え、洗濯機３は通信手段である赤外受信部１６を備えている。
【００１６】
次に、本発明の機器モニタシステムの動作について説明する。まず、利用者が、携帯情報端末２の操作部９で情報提供者サーバ１に洗濯機３の該当機種の該当コースへのアクセスするための操作を行い、携帯情報端末２の記憶手段１１に転送するまでの動作は、実施例１と同様である。次に、利用者が、携帯情報端末２の操作部９で転送された動作内容の特定動作（本実施例では、「終了」を特定動作とする）の時刻を報知するようにして携帯情報端末２に起動をかける。すると、携帯情報端末２の制御手段８は赤外送信部１５から、洗濯機３の赤外受信部１６に対して「おまかせ洗いコース（標準水量）」を選択して開始する信号を送信する。これにより洗濯機３は、「おまかせ洗いコース（標準水量）」を開始し、同時に携帯情報端末２の制御手段８は、計時手段１２の計時を開始し、図２で示したように全ての動作の合計時間即ち５３分後に報知手段１０（本実施例ではメロディ音と表示）で報知を行う。
【００１７】
なお、本実施例では携帯情報端末２には赤外送信部１５、洗濯機３には赤外受信部１６として、携帯情報端末２から洗濯機３への単方向通信としたが、共に赤外送受信部として双方向通信を行い、洗濯機３側の操作部１４の指示により計時開始を行うようにしてもかまわない。
【００１８】
以上のように本実施例によれば、携帯情報端末または機器のいずれか一方の操作を行うだけで機器の動作開始と同期して機器の特定動作を行う時刻を報知可能な機器モニタシステムとしている。
【００１９】
（実施例３）
本発明の機器モニタシステムの実施例を図面に基づいて説明する。本実施例の構成を示すブロック図は、図４である。図３の構成において、１７は情報提供者サーバ１から携帯情報端末２の記憶手段１１に転送されたプログラム、１８は携帯情報端末２が本来有しているアラーム機能プログラムである。
【００２０】
次に、本発明の機器モニタシステムの動作について説明する。まず、利用者が、情報提供者サーバ１から携帯情報端末２の記憶手段１１に該当機種の該当コースのプログラム１７（ｉアプリ等のプログラム）を転送する。次に、利用者は、携帯情報端末２の操作部９で転送されたプログラムを立ち上げて動作内容の特定動作（本実施例では、「終了」を特定動作とする）の時刻を報知するようにして携帯情報端末２に起動をかけ、携帯情報端末２から、洗濯機３に対して「おまかせ洗いコース（標準水量）」を選択して開始する信号を送信し、洗濯機３は、「おまかせ洗いコース（標準水量）」を開始する。この時、ダウンロードプログラム１７は、図２で示した全ての動作の合計時間即ち５３分を算出する。次に、携帯情報端末２自身が有する機能であるアラーム機能プログラム１８に対してこの５３分後という時間を引き渡してプログラム動作を終了する。時間を引き渡されたアラーム機能プログラム１８は、５３分後に報知手段１０でアラーム報知を行う。
【００２１】
以上のように本実施例によれば、ダウンロードプログラム１７が、携帯情報端末２の制御手段８を占有して携帯情報端末２の本来機能を損なうことがなく、機器の特定動作を行う時刻を報知可能な機器モニタシステムとしている。
【００２２】
（実施例４）
本発明の機器モニタシステムの実施例を図面に基づいて説明する。本実施例の構成を示すブロック図は、図５である。図４の構成に加えて、ダウンロードプログラム１７に報知動作設定手段１９を備えている。
【００２３】
次に、本発明の機器モニタシステムの動作について説明する。まず、利用者が、情報提供者サーバ１から携帯情報端末２の記憶手段１１に該当機種の該当コースのプログラム１７（ｉアプリ等のプログラム）を転送するまでの動作は、実施例３と同様である。次に、利用者は、携帯情報端末２の操作部９で転送されたプログラムを立ち上げて、報知動作設定手段１９により、時刻を報知する特定動作を選択する。即ち、「すすぎ１回目終了」、「全工程終了」等の選択肢の中から選択するものである。糊付けしたいなら「すすぎ１回目終了」のタイミングが知りたいし、洗濯終了後の放置による皺が気になるなら「全工程終了」が知りたいため、使用者の知りたいタイミングを選択できる。この報知動作設定手段１９で選択された時刻に、携帯情報端末２は報知を行う。
【００２４】
なお、報知動作設定手段１９で設定できる動作は、複数、即ち「すすぎ１回目終了」、「全工程終了」の両方等を選択できるようにしてもかまわない。
【００２５】
以上のように本実施例によれば、使用者が報知したい動作を容易に設定できる機器モニタシステムとしている。
【００２６】
（実施例５）
本発明の機器モニタシステムの実施例を図面に基づいて説明する。本実施例の構成を示すブロック図は、図６である。図４の構成に加えて、洗濯機３の操作部１４に報知動作設定手段２０を備え、携帯情報端末２の第２の通信手段として赤外送受信部２１、洗濯機３の通信手段として赤外送受信部２２を備え、携帯情報端末２と洗濯機３間の通信を双方向としている。
【００２７】
次に、本発明の機器モニタシステムの動作について説明する。まず、利用者が、情報提供者サーバ１から携帯情報端末２の記憶手段１１に該当機種の該当コースのプログラム１７（ｉアプリ等のプログラム）を転送するまでの動作は、実施例３と同様である。次に、利用者は、洗濯機３の操作部１４の報知動作設定手段２０により時刻を報知する特定動作を選択する。すると、洗濯機３の制御手段１３は、選択された動作情報を赤外送受信部２２から携帯情報端末２の赤外送受信部２１を介してダウンロードプログラム１７へ送る。
【００２８】
次に、利用者が、携帯情報端末２の操作部９で起動をかけて、今度は携帯情報端末２の赤外送受信部２１から、洗濯機３の赤外受信部１６に対して「おまかせ洗いコース（標準水量）」を選択して開始する信号を送信して、洗濯機３は、「おまかせ洗いコース（標準水量）」を開始し、洗濯機３から送信されていた動作の時刻報知を携帯情報端末２で行う。
【００２９】
なお、報知動作設定手段２０で設定できる動作は、複数、即ち「すすぎ１回目終了」、「全工程終了」の両方等を選択できるようにしてもかまわない。
【００３０】
以上のように本実施例によれば、使用者が大きな操作ボタンで報知したい動作を容易に設定できる機器モニタシステムとしている。
【００３１】
（実施例６）
本発明の機器モニタシステムの実施例を図面に基づいて説明する。本実施例の構成を示すブロック図は、図７である。図５の構成に加えて、ダウンロードプログラム１７に報知方法設定手段２３を備えている。
【００３２】
次に、本発明の機器モニタシステムの動作について説明する。まず、利用者が、情報提供者サーバ１から携帯情報端末２の記憶手段１１に該当機種の該当コースのプログラム１７（ｉアプリ等のプログラム）を転送するまでの動作は、実施例４と同様である。次に、利用者は、携帯情報端末２の操作部９で転送されたプログラムを立ち上げて、報知動作設定手段１９により時刻を報知する特定動作を、報知方法設定手段２３によりその動作に対する報知方法（本実施例ではどのメロディ音にするか）を選択する。この報知動作設定手段１９で選択された時刻に、報知方法設定手段２３で選択されたメロディ音で携帯情報端末２は報知を行う。
【００３３】
なお、報知方法設定手段２３では、複数の動作に各々設定できるようにしてもかまわない。
【００３４】
以上のように本実施例によれば、使用者の好みに合わせた聞き取りやすい報知方法を設定できる機器モニタシステムとしている。
【００３５】
（実施例７）
本発明の機器モニタシステムの実施例を図面に基づいて説明する。本実施例の構成を示すブロック図は、図８である。図７の構成に加えて、ダウンロードプログラム１７に報知時刻ずらし設定手段２４を備えている。
【００３６】
次に、本発明の機器モニタシステムの動作について説明する。まず、利用者が、情報提供者サーバ１から携帯情報端末２の記憶手段１１に該当機種の該当コースのプログラム１７（ｉアプリ等のプログラム）を転送するまでの動作は、実施例６と同様である。次に、利用者は、携帯情報端末２の操作部９で転送されたプログラムを立ち上げて、報知動作設定手段１９により時刻を報知する特定動作を、報知方法設定手段２３によりその動作に対する報知方法（本実施例ではどのメロディ音にするか）を、報知時刻ずらし設定手段２４により動作時刻からどれだけの時間ずらして報知するかを選択または設定する。即ち、動作が「すすぎ１回目終了」ならすすぎ終了３分前に報知するという設定を行うものである。この報知動作設定手段１９で選択された時刻から報知時刻ずらし設定手段２４で設定された時間ずらして、報知方法設定手段２３で選択されたメロディ音で携帯情報端末２は報知を行う。
【００３７】
なお、報知時刻ずらし設定手段２４では、複数の動作に各々設定できるようにしてもかまわないし、動作時刻より遅れて報知するようにしてもかまわない。
【００３８】
以上のように本実施例によれば、動作によってやや早めにあるいは少したってから報知することができる機器モニタシステムとしている。機器がオーブン電子レンジなら出来あがりをすぐ取り出す必要がある場合が多く、離れた場所にいる場合は早めに報知してもらうことが大変便利である。
【００３９】
【発明の効果】
以上のように本発明によれば、機器のところまで行かなくても、また専用のツールがなくても使用者の報知させたい機器の特定動作を行う時刻を報知可能な機器モニタシステムを実現するものである。
【図面の簡単な説明】
【図１】  本発明の第１の実施例である機器モニタシステムの構成を示すブロック図
【図２】  同、第１の実施例である機器モニタシステムの情報提供者サーバから携帯情報端末に受信される動作内容の例を示す図
【図３】  同、第２の実施例である機器モニタシステムの構成を示すブロック図
【図４】  同、第３の実施例である機器モニタシステムの構成を示すブロック図
【図５】  同、第４の実施例である機器モニタシステムの構成を示すブロック図
【図６】  同、第５の実施例である機器モニタシステムの構成を示すブロック図
【図７】  同、第６の実施例である機器モニタシステムの構成を示すブロック図
【図８】  同、第７の実施例である機器モニタシステムの構成を示すブロック図
【符号の説明】
１  情報提供者サーバ
２  携帯情報端末
３  洗濯機
４、５  通信手段
６  通信網
７  洗濯機用動作内容記憶手段
８  制御手段
９  操作部
１０  報知手段
１１  記憶手段
１２  計時手段
１３  制御手段
１４  操作部
１５、１６  赤外受信部
１７  ダウンロードプログラム
１８  アラーム機能プログラム
１９、２０  報知動作設定手段
２１、２２  赤外送受信部
２３  報知方法設定手段
２４  報知時刻ずらし設定手段
【図１】
0003815298.tif 000002
【図２】
0003815298.tif 000003
【図３】
0003815298.tif 000004
【図４】
0003815298.tif 000005
【図５】
0003815298.tif 000006
【図６】
0003815298.tif 000007
【図７】
0003815298.tif 000008
【図８】
0003815298.tif 000009